【手続補正書】
【提出日】平成24年4月26日(2012.4.26)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示する可変表示部を備え、前記可変表示部における識別情報の表示結果があらかじめ定められた特定表示結果となったときに、遊技者にとって有利な特定遊技状態に制御する遊技機であって、
前記特定表示結果とするか否かを、識別情報の表示結果が導出表示される以前に決定する事前決定手段と、
前記事前決定手段の決定結果にもとづいて、予め定められた順番に従って１段階目の演出から複数段階目の演出までの複数の演出を段階的に行う予告演出であって、前記特定表示結果とする場合には該特定表示結果としない場合よりも高い割合で予め定められた段階目の演出まで演出が行われるステップアップ予告演出と該ステップアップ予告演出における演出の態様とを決定するステップアップ予告演出決定手段と、
前記事前決定手段の決定結果にもとづいて、前記特定表示結果となる可能性があることを報知する予告演出であって、前記ステップアップ予告演出と異なる系統の予告演出である他系統予告演出を実行するか否かと該他系統予告演出における演出の態様とを決定する他系統予告演出決定手段と、
前記ステップアップ予告演出決定手段と前記他系統予告演出決定手段との決定結果にもとづいて、予告演出を実行する予告演出実行手段とを備え、
前記ステップアップ予告演出決定手段は、前記ステップアップ予告演出として、該ステップアップ予告演出における複数の演出の態様が第１の態様である第１ステップアップ予告演出と、該ステップアップ予告演出における複数の演出の態様が前記第１の態様と異なる第２の態様である第２ステップアップ予告演出とを決定可能であり、
前記予告演出実行手段は、
前記ステップアップ予告演出決定手段により前記第１ステップアップ予告演出が決定され、かつ前記第２ステップアップ予告演出が決定されたときに、該第１ステップアップ予告演出と該第２ステップアップ予告演出とを可変表示中の同一期間に同時に実行可能であり、
前記第１ステップアップ予告演出と前記他系統予告演出とを可変表示中の同一期間に同時に実行可能であり、
前記第１ステップアップ予告演出における特定段階目の演出を開始する開始タイミングから該特定段階目の次段階目の演出を開始する開始タイミングまでの期間中に前記第２ステップアップ予告演出における所定段階目の演出を開始する開始タイミングがあり、
前記予告演出実行手段によって前記第２ステップアップ予告演出と前記他系統予告演出とが可変表示中の同一期間に同時に実行されることを規制する規制手段をさらに備えた
ことを特徴とする遊技機。
【手続補正２】
【補正対象書類名】明細書
【補正対象項目名】００１２
【補正方法】変更
【補正の内容】
【００１２】
本発明による遊技機は、各々を識別可能な複数種類の識別情報（例えば、第１特別図柄、第２特別図柄、演出図柄）を可変表示する可変表示部（例えば、第１特別図柄表示器８ａ、第２特別図柄表示器８ｂ、演出表示装置９）を備え、可変表示部における識別情報の表示結果があらかじめ定められた特定表示結果（例えば、大当り図柄）となったときに、遊技者にとって有利な特定遊技状態（例えば、大当り遊技状態）に制御する遊技機であって、特定表示結果とするか否かを、識別情報の表示結果が導出表示される以前に決定する事前決定手段（例えば、遊技制御用マイクロコンピュータ５６０におけるステップＳ６１の処理を実行する部分）と、事前決定手段の決定結果にもとづいて、予め定められた順番に従って１段階目の演出から複数段階目の演出までの複数の演出を段階的に行う予告演出であって、特定表示結果とする場合には該特定表示結果としない場合よりも高い割合で予め定められた段階目の演出まで演出が行われるステップアップ予告演出（例えば、第１ステップアップ予告演出、第２ステップアップ予告演出）と該ステップアップ予告演出における演出の態様とを決定するステップアップ予告演出決定手段（例えば、演出制御用マイクロコンピュータ１００において、図７０および図７１に示すテーブルを参照して、ステップＳ５７１〜Ｓ５８１の処理を実行する部分）と、事前決定手段の決定結果にもとづいて、特定表示結果となる可能性があることを報知する予告演出であって、ステップアップ予告演出と異なる系統の予告演出（例えば、図７４または図７５に示す演出）である他系統予告演出（例えば、ボタン予告演出）を実行するか否かと該他系統予告演出における演出の態様とを決定する他系統予告演出決定手段（例えば、演出制御用マイクロコンピュータ１００において、図７３に示すテーブルを参照して、ステップＳ５８３の処理を実行する部分）と、ステップアップ予告演出決定手段と他系統予告演出決定手段との決定結果にもとづいて、予告演出（例えば、第１ステップアップ予告演出、第２ステップアップ予告演出、ボタン予告演出）を実行する予告演出実行手段（例えば、演出制御用マイクロコンピュータ１００において、ステップＳ５７１〜Ｓ５８３の処理の決定結果にもとづいて、ステップＳ５１８Ｂ〜Ｓ５２０，Ｓ８４３〜Ｓ８５１の処理で実行する部分）とを備え、ステップアップ予告演出決定手段は、ステップアップ予告演出として、該ステップアップ予告演出における複数の演出の態様が第１の態様である第１ステップアップ予告演出と、該ステップアップ予告演出における複数の演出の態様が第１の態様と異なる第２の態様である第２ステップアップ予告演出とを決定可能であり、予告演出実行手段は、ステップアップ予告演出決定手段により第１ステップアップ予告演出が決定され、かつ第２ステップアップ予告演出が決定されたときに、該第１ステップアップ予告演出と該第２ステップアップ予告演出とを可変表示中の同一期間に同時に実行可能であり（例えば、図８１に示す例では、演出図柄の高速変動期間に同時に第１ステップアップ予告演出と第２ステップアップ予告演出とを同一のタイミング（Ｔ１）で実行開始する。すなわち、演出図柄の高速変動の開始とともに第１ステップアップ予告演出の予告演出Ｗと第２ステップアップ予告演出の予告演出Ａとが同時に開始される。その後、同一のタイミング（Ｔ２）で、第１ステップアップ予告演出の予告演出Ｗから予告演出Ｘに変化するとともに第２ステップアップ予告演出の予告演出Ａから予告演出Ｂに変化し、その後、同一のタイミング（Ｔ３）で、第１ステップアップ予告演出の予告演出Ｘから予告演出Ｙに変化するとともに第２ステップアップ予告演出の予告演出Ｂから予告演出Ｃに変化し、その後、同一のタイミング（Ｔ４）で、第１ステップアップ予告演出の予告演出Ｙから予告演出Ｚに変化するとともに第２ステップアップ予告演出の予告演出Ｃから予告演出Ｄに変化する。）、第１ステップアップ予告演出と他系統予告演出とを可変表示中の同一期間に同時に実行可能であり（例えば、図７７〜図７９に示すテーブルで、第１ステップアップ予告演出とボタン予告演出との組合せが可能であるように設定されている。）、第１ステップアップ予告演出における特定段階目の演出を開始する開始タイミングから該特定段階目の次段階目の演出を開始する開始タイミングまでの期間中に第２ステップアップ予告演出における所定段階目の演出を開始する開始タイミングがあり、予告演出実行手段によって第２ステップアップ予告演出と他系統予告演出とが可変表示中の同一期間に同時に実行されることを規制する規制手段（例えば、演出制御用マイクロコンピュータ１００において、図７７〜図７９に示すテーブルで、第２ステップアップ予告演出とボタン予告演出との組合せが不可能であるように設定されていることにもとづいて、ステップＳ５９１の処理を実行する部分）をさらに備えたことを特徴とする。
【手続補正３】
【補正対象書類名】明細書
【補正対象項目名】００１３
【補正方法】変更
【補正の内容】
【００１３】
請求項１記載の遊技機は、各々を識別可能な複数種類の識別情報を可変表示する可変表示部を備え、可変表示部における識別情報の表示結果があらかじめ定められた特定表示結果となったときに、遊技者にとって有利な特定遊技状態に制御する遊技機であって、特定表示結果とするか否かを、識別情報の表示結果が導出表示される以前に決定する事前決定手段と、事前決定手段の決定結果にもとづいて、予め定められた順番に従って１段階目の演出から複数段階目の演出までの複数の演出を段階的に行う予告演出であって、特定表示結果とする場合には該特定表示結果としない場合よりも高い割合で予め定められた段階目の演出まで演出が行われるステップアップ予告演出と該ステップアップ予告演出における演出の態様とを決定するステップアップ予告演出決定手段と、事前決定手段の決定結果にもとづいて、特定表示結果となる可能性があることを報知する予告演出であって、ステップアップ予告演出と異なる系統の予告演出である他系統予告演出を実行するか否かと該他系統予告演出における演出の態様とを決定する他系統予告演出決定手段と、ステップアップ予告演出決定手段と他系統予告演出決定手段との決定結果にもとづいて、予告演出を実行する予告演出実行手段とを備え、ステップアップ予告演出決定手段は、ステップアップ予告演出として、該ステップアップ予告演出における複数の演出の態様が第１の態様である第１ステップアップ予告演出と、該ステップアップ予告演出における複数の演出の態様が第１の態様と異なる第２の態様である第２ステップアップ予告演出とを決定可能であり、予告演出実行手段は、ステップアップ予告演出決定手段により第１ステップアップ予告演出が決定され、かつ第２ステップアップ予告演出が決定されたときに、該第１ステップアップ予告演出と該第２ステップアップ予告演出とを可変表示中の同一期間に同時に実行可能であり、第１ステップアップ予告演出と他系統予告演出とを可変表示中の同一期間に同時に実行可能であり、第１ステップアップ予告演出における特定段階目の演出を開始する開始タイミングから該特定段階目の次段階目の演出を開始する開始タイミングまでの期間中に第２ステップアップ予告演出における所定段階目の演出を開始する開始タイミングがあり、第２ステップアップ予告演出と他系統予告演出とは可変表示中の同一期間に同時に実行することを規制するように構成されているので、遊技者が認識しづらくなるような予告演出が同時に実行されることを防止し（第２ステップアップ予告演出と他系統予告演出とが同時に実行されることを防止し）、予告演出（第２ステップアップ予告演出および他系統予告演出）のそれぞれを遊技者に容易に認識させ、遊技興趣を向上させることができる。